(57)【要約】【課題】左右音声信号のセパレーションの度合いを電界強度のレベルに応じて連続的に制御できるステレオ受信機を簡単に構成する。【解決手段】受信信号の電界強度を検出する電界強度検出手段９と、左及び右チャンネルの原音声信号を出力するステレオ復調回路５とを備え、原音声信号同士をブレンドして左及び右チャンネルのブレンド音声信号を出力するブレンド回路６を設け、電界強度の大きさに対応して原音声信号同士のブレンドの度合いを連続的に変えるようにすることで、電界強度の低いときに悪化するＳ／Ｎを簡単な構成によって改善する。【選択図】        図１
2005005871.tif 000002
【特許請求の範囲】
【請求項１】
受信信号の電界強度を検出する電界強度検出手段と、左及び右チャンネルの原音声信号を出力するステレオ復調回路とを備え、前記原音声信号同士をブレンドして左及び右チャンネルのブレンド音声信号を出力するブレンド回路を設け、前記電界強度の大きさに対応して前記原音声信号同士のブレンドの度合いを連続的に変えるようにしたことを特徴とするステレオ受信機。
【請求項２】
前記ブレンド回路は可変抵抗手段と、前記可変抵抗手段の両端側それぞれ直列接続された第一の容量素子と、前記第一の容量素子の一方に前記原音声信号の一方を入力する第一の抵抗と、前記第二の容量素子の他方に前記原音声信号の他方を入力する第二の抵抗とを有し、前記可変抵抗手段の抵抗値を前記電界強度によって制御し、前記可変抵抗手段と前記第一の容量素子の一方との第一の接続点と、前記可変抵抗手段と前記第二の容量素子の他方との第二の接続点とから前記ブレンド音声信号を出力したことを特徴とする請求項１に記載のステレオ受信機。
【請求項３】
前記可変抵抗手段をピンダイオードによって構成し、前記ピンダイオードの電流を前記電界強度によって変化させたことを特徴とする請求項２に記載のステレオ受信機。
【請求項４】
前記ピンダイオードはアノード同士が相互接続された２個のダイオードとカソード同士が相互接続された２個のダイオードとの並列回路からなり、前記相互接続のアノードと前記相互接続のカソードとの間に前記電界強度に基づく制御電圧を印加したことを特徴とする請求項３に記載のステレオ受信機。
【請求項５】
前記相互接続のアノードと前記相互接続のカソードとの間に第二の容量素子を接続したことを特徴とする請求項４に記載のステレオ受信機。
【請求項６】
前記相互接続のアノード又は前記相互接続のカソードの少なくとも一方を、第三の抵抗を介して基準電位点に接続したことを特徴とする請求項４又は５に記載のステレオ受信機。
【発明の詳細な説明】
【０００１】
【発明の属する技術分野】
この発明は、ＦＭステレオ受信機やテレビ受信機等のようにステレオ放送が受信できるステレオ受信機に関する。
【０００２】
【従来の技術】
ＦＭステレオ受信機等においては電界強度の低下やマルチパスのためにノイズが増加したときの対策として、疑似ステレオ回路と切替回路とを設けると共に、電界強度とマルチパスノイズを検出し、電界強度あるいはマルチパスノイズのレベルによってステレオ復調回路と切替回路とを制御し、左右チャンネル間のセパレーションの度合いを下げてノイズを低減したり、疑似ステレオ信号を出力するようにしている（例えば特許文献１参照。）。
【０００３】
【特許文献１】
特公平７−２８２７０号公報（図１、図２、図４）
【０００４】
【発明が解決しようとする課題】
上記の構成では、疑似ステレオ回路及び切替回路を設け、電界強度とマルチパスノイズを検出することから構成が複雑となる。
【０００５】
本発明では、左右音声信号のセパレーションの度合いを電界強度のレベルに応じて連続的に制御できるステレオ受信機を簡単に構成することを目的とする。
【０００６】
【課題を解決するための手段】
以上のことから、本発明では、受信信号の電界強度を検出する電界強度検出手段と、左及び右チャンネルの原音声信号を出力するステレオ復調回路とを備え、前記原音声信号同士をブレンドして左及び右チャンネルのブレンド音声信号を出力するブレンド回路を設け、前記電界強度の大きさに対応して前記原音声信号同士のブレンドの度合いを連続的に変えるようにした。
【０００７】
また、前記ブレンド回路は可変抵抗手段と、前記可変抵抗手段の両端側それぞれ直列接続された第一の容量素子と、前記第一の容量素子の一方に前記原音声信号の一方を入力する第一の抵抗と、前記第二の容量素子の他方に前記原音声信号の他方を入力する第二の抵抗とを有し、前記可変抵抗手段の抵抗値を前記電界強度によって制御し、前記可変抵抗手段と前記第一の容量素子の一方との第一の接続点と、前記可変抵抗手段と前記第二の容量素子の他方との第二の接続点とから前記ブレンド音声信号を出力した。
【０００８】
また、前記可変抵抗手段をピンダイオードによって構成し、前記ピンダイオードの電流を前記電界強度によって変化させた。
【０００９】
また、前記ピンダイオードはアノード同士が相互接続された２個のダイオードとカソード同士が相互接続された２個のダイオードとの並列回路からなり、前記相互接続のアノードと前記相互接続のカソードとの間に前記電界強度に基づく制御電圧を印加した。
【００１０】
また、前記相互接続のアノードと前記相互接続のカソードとの間に第二の容量素子を接続した。
【００１１】
また、前記相互接続のアノード又は前記相互接続のカソードの少なくとも一方を、第三の抵抗を介して基準電位点に接続した。
【００１２】
【発明の実施の形態】
本発明のステレオ受信機を図１に示すＦＭステレオ受信機の例で説明する。アンテナ１で受信された信号はフロントエンド２によって中間周波信号に変換され、中間周波信号は中間周波増幅回路３で増幅され、ＦＭ検波回路４に力される。ＦＭ検波回路４からの検波出力はステレオ復調回路５によって復調され、ステレオ復調回路５からは左及び右チャンネルの音声信号（原音声信号という）Ｌ、Ｒが出力される。左及び右チャンネルの原音声信号Ｌ、Ｒはセパレーションの度合いを制御する（ブレンドする）ためのブレンド回路６に入力される。そして、ブレンド回路６からはブレンドされた左及び右チャンネルの音声信号（ブレンド音声信号という）Ｌ’、Ｒ’が出力される。ブレンド音声信号Ｌ’、Ｒ’はそれぞれバッファアンプ７、８を経て出力される。
【００１３】
一方、中間周波増幅回路３に接続された電界強度検出手段（レベルメータ）９はアンテナで受信した信号の電界強度に比例する検出信号を出力する。検出信号は制御回路１０に入力される。制御回路１０は電界強度に応じた制御電圧を出力し、この制御電圧によってブレンド回路６が制御される。
【００１４】
図２はブレンド回路６と制御回路１０との具体的な回路構成を示す。ブレンド回路６は４個のピンダイオードＤ１〜Ｄ４を有する可変抵抗手段６ａと、その両端にそれぞれ直列接続された第一の容量素子６ｂ、６ｃと、原音声信号の一方Ｌを第一の容量手段の一方６ｂ側に入力する第一の抵抗６ｄと、原音声信号の他方Ｒを第一の容量手段の他方６ｃ側に入力する第二の抵抗６ｅとを有する。そして、第一の容量素子の一方６ｂと第一の抵抗６ｄとの接続点（第一の接続点）Ｐ１からブレンドされた左チャンネルのブレンド音声信号Ｌ’が出力され、第一の容量素子の他方６ｃと第二の抵抗６ｅとの接続点（第二の接続点）Ｐ２からブレンドされた右チャンネルのブレンド音声信号Ｒ’が出力される。
【００１５】
可変抵抗手段６ａにおける２個のピンダイオードＤ１、Ｄ２はアノードが相互接続され、２個のピンダイオードＤ３、Ｄ４はカソードが相互接続される。そして、相互接続された２個のピンダイオードＤ１、Ｄ２と相互接続された２個のピンダイオードＤ３、Ｄ４とが並列に接続される。また、相互接続されたピンダイオードＤ１、Ｄ２のアノードと相互接続されたピンダイオードＤ３、Ｄ４のカソードとが第二の容量素子６ｆによって互いに結合される。相互接続されたピンダイオードＤ３、Ｄ４のカソードには第三の抵抗１１と給電抵抗１２とによって固定のバイアス電圧が印加される。
【００１６】
制御回路１０は電界強度の検出信号がベースに入力される第一のトランジスタ１０ａと、そのエミッタからの出力信号がベースに入力される第二のトランジスタ１０ｂとを有する。第一のトランジスタ１０ａのコレクタと第二のトランジスタ１０ｂのコレクタとはそれぞれ給電抵抗１０ｃ、１０ｄに接続され、第一のトランジスタ１０ａのエミッタは可変抵抗器１０ｅによって接地される。第二のトランジスタ１０ｂのベースは可変抵抗器１０ｅに接続され、エミッタは接地される。そして、第二のトランジスタ１０ｂのコレクタが、相互接続されたピンダイオードＤ１、Ｄ２のアノードに抵抗１３を介して接続される。
【００１７】
以上の構成において、第一のトランジスタ１０ａのエミッタには検出信号に比例した電圧が現れ、この電圧は可変抵抗器１０ｅによって適宜に分圧されて第二のトランジスタ１０ｂのベースに入力される。第二のトランジスタ１０ｂは、電界強度が第一のレベルＥａ以上になるとオンし始めてコレクタ（Ｃ点）に現れる制御電圧は図３のように電界強度の上昇にともなって低下する。そして、第二のレベルＥｂ以上ではほぼ一定の電圧となる。その時の電圧値は可変抵抗器１０ｅの調整によって決まる。このコレクタに現れる制御電圧が可変抵抗手段６を構成する２個のピンダイオードＤ１、Ｄ２の相互接続されたアノードに印加される。
【００１８】
ここで、電界強度が第二のレベルＥｂ（Ｅａ＜Ｅｂ）の時の第二のトランジスタ１０ｂのコレクタ電圧が固定のバイアス電圧（２個のピンダイオードＤ３、Ｄ４の相互接続されたカソードの電圧）よりも低くなり、それ以下の電界強度では高くなるように設定する。第二のレベルＥｂは原音声信号Ｌ、ＲのＳ／Ｎが十分に満足できるときの電界強度である。
【００１９】
よって、電界強度が第二のレベル以上の時には可変抵抗手段６の４個のピンダイオードＤ１〜Ｄ４に電流が流れず、可変抵抗手段６の両端間の抵抗値が極めて大きく（理論的に無限大）なっている。従って、Ｓ／Ｎのよい原音声信号Ｌ，Ｒはブレンドされないので最大のセパレーションが維持されて対応するバッファアンプ７、８に入力される。
【００２０】
また、電界強度が第二のレベルＥｂ以下になると、４個のピンダイオードＤ１〜Ｄ４に電流が流れ、両端間の抵抗値が減少する。そして、第一の接続点Ｐ１と第二の接続点Ｐ２とは第一の容量素子の一方６ｂ、可変抵抗手段６ａ、第一の容量素子の他方６ｃからなる直列回路によって結合される。この結果、原音声信号の一方Ｌは第一の接続点Ｐ１に現れると共に、上記の可変容量素子６ａ及び第一の容量素子６ｂ、６ｃを介して第二の接続点Ｐ２にも現れる。第二の接続点Ｐ２に現れる原音声信号Ｌのレベルは下がる。同様に、原音声信号の他方Ｒは第二の接続点Ｐ２に現れると共に、上記の可変容量素子６ａ及び第一の容量素子６ｂ、６ｃを介して第一の接続点Ｐ１にも現れる。第二の接続点Ｐ１に現れる原音声信号Ｒのレベルは下がる。
【００２１】
このことから、第一の接続点Ｐ１には原音声信号ＬとＲとがブレンドされた音声信号（原音声信号Ｌが主体）が出力される。また、第二の接続点Ｐ２には原音声信号ＬとＲとがブレンドされた音声信号（原音声信号Ｒが主体）が出力される。よって、ステレオセパレーションは低下してモノラル信号に近くなるがＳ／Ｎは改善される。この時、可変容量素子６ａと第一の容量素子６ｂ、６ｃとの直列回路は周波数が高くなるほどインピーダンスが下がる周波数特性を持つので、高い周波数ほどブレンドの度合いが大きくなって図４に示すようにセパレーションが低下し、その結果Ｓ／Ｎが改善される。この場合、第一の容量素子６ｂ、６ｃの容量値が大きいほど高い周波数でのブレンドの度合いが大きくなる（図４の点線参照）。また、電界強度が低下するほど原音声信号のＳ／Ｎが劣化するが、上記のインピーダンスも電界強度の低下にともなって低下するのでブレンドの度合いも大きくなってＳ／Ｎが改善される。
【００２２】
また、可変抵抗手段６ａにおける２個のピンダイオードＤ１、Ｄ２はＰＮ接合の方向が互いに逆となっているので、音声信号の通過によって発生する歪み信号の位相が逆となることから相互にキャンセルし合って結果的にブレンドによる歪みが発生しない。他方の２個のピンダイオードＤ３、Ｄ４についても同じことがいえる。さらに、２個のピンダイオードＤ１、Ｄ２のアノードと２個のピンダイオードＤ３、Ｄ４のカソードとの間に第二の容量素子６ｆが接続されることで、ピンダイオードＤ１とＤ３とがＰＮ接合の方向が互いに逆で並列接続されので、これらの間で発生する歪みもキャンセルされる。ピンダイオードＤ２、Ｄ４についても同様である。
【００２３】
さらに、２個のピンダイオードＤ１、Ｄ２のアノードが抵抗１３、１０ｄを介して基準電位点である電源端子に接続されているので、周波数の高い音声信号が減衰する。同様に、２個のピンダイオードＤ３、Ｄ４のカソードが第三の抵抗１１、給電抵抗１２を介してそれぞれ基準電位点であるグランドと電源端子とに接続されているので、周波数の高い音声信号が減衰する。アノード又はカソードのいずれか一方が基準電位点に接続されれば周波数の高い音声信号が減衰するのでＳ／Ｎが改善される。
【００２４】
【発明の効果】
以上説明したように、本発明では、受信信号の電界強度を検出する電界強度検出手段と、左及び右チャンネルの原音声信号を出力するステレオ復調回路とを備え、原音声信号同士をブレンドして左及び右チャンネルのブレンド音声信号を出力するブレンド回路を設け、電界強度の大きさに対応して原音声信号同士のブレンドの度合いを連続的に変えるようにしたので、電界強度の低いときに悪化するＳ／Ｎを簡単な構成によって改善できる。
【００２５】
また、ブレンド回路は可変抵抗手段とその両端側それぞれ直列接続された第一の容量素子と、第一の容量素子の一方に原音声信号の一方を入力する第一の抵抗と、第二の容量素子の他方に原音声信号の他方を入力する第二の抵抗とを有し、可変抵抗手段の抵抗値を電界強度によって制御し、可変抵抗手段と第一の容量素子の一方との第一の接続点と、可変抵抗手段と第二の容量素子の他方との第二の接続点とからブレンド音声信号を出力したので、簡単な回路でブレンド回路を構成できる。
【００２６】
また、可変抵抗手段をピンダイオードによって構成し、ピンダイオードの電流を電界強度によって変化させたので可変抵抗手段が簡単になる。
【００２７】
また、ピンダイオードはアノード同士が相互接続された２個のダイオードとカソード同士が相互接続された２個のダイオードとの並列回路からなり、相互接続のアノードと相互接続のカソードとの間に電界強度に基づく制御電圧を印加したので、ピンダイオードを通する際に発生する歪み信号がキャンセルされて、結果的に歪みの少ない音声信号が得られる。
【００２８】
また、相互接続のアノードと相互接続のカソードとの間に第二の容量素子を接続したので、歪みは一層少なくなる。
【００２９】
また、相互接続のアノード又は相互接続のカソードの少なくとも一方を、第三の抵抗を介して基準電位点に接続したので、音声信号の高域側が減衰してＳ／Ｎはさらに改善される。
【図面の簡単な説明】
【図１】本発明のステレオ受信機の構成を示す回路図である。
【図２】本発明のステレオ受信機に使用するブレンド回路と制御回路との具体的な回路図である。
【図３】本発明のステレオ受信機における制御回路から出力される制御電圧の特性図である。
【図４】本発明のステレオ受信機によるステレオセパレーション特性図である。
【符号の説明】
１  アンテナ
２  フロントエンド
３  中間周波増幅回路
４  ＦＭ検波回路
５  ステレオ復調回路
６  ブレンド回路
６ａ  可変抵抗手段
６ｂ、６ｃ  第一の容量素子
６ｄ  第一の抵抗
６ｅ  第二の抵抗
６ｆ  第二の容量素子
７、８  バッファアンプ
９  レベルメータ
１０  制御回路
１０ａ  第一のトランジスタ
１０ｂ  第二のトランジスタ
１０ｃ、１０ｄ  給電抵抗
１０ｅ  可変抵抗器
１１  第三の抵抗
１２  給電抵抗
１３  抵抗
【図１】
2005005871.tif 000003
【図２】
2005005871.tif 000004
【図３】
2005005871.tif 000005
【図４】
2005005871.tif 000006